(57)【要約】  ＥＶモードでは電動機を駆動源として走行し、ＨＥＶモードでは少なくとも電動機の出力を利用して内燃エンジンを始動し内燃エンジン及び電動機を駆動源として走行するハイブリッド車両を制御する装置であって、膨張行程の気筒に燃料を供給しこの燃料に点火して発生した燃焼圧力で内燃エンジンをクランキングできるか否かを判定する膨張行程燃焼可否判定部と、膨張行程燃焼可否判定部の判定に応じて、ＥＶモードの走行領域を設定するＥＶ領域設定部と、車両に要求される駆動トルクがＥＶモードの走行領域内であればＥＶモードで走行し、ＥＶモードの走行領域外にあればＨＥＶモードで走行する走行モード設定部と、を含む。
2014208209.tif 000002
【特許請求の範囲】
【請求項１】
ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行するハイブリッド車両を制御する装置であって、
膨張行程の気筒に燃料を供給しこの燃料に点火して発生した燃焼圧力で内燃エンジンをクランキングできるか否かを判定する膨張行程燃焼可否判定部と、
前記膨張行程燃焼可否判定部の判定に応じて、ＥＶモードの走行領域を設定するＥＶ領域設定部と、
前記ハイブリッド車両に要求される駆動トルクがＥＶモードの走行領域内であればＥＶモードで走行し、ＥＶモードの走行領域外にあればＨＥＶモードで走行する走行モード設定部と、
を含むハイブリッド車両の制御装置。
【請求項２】
請求項１に記載のハイブリッド車両の制御装置であって、
前記膨張行程燃焼可否判定部は、ＨＥＶモードで走行中に判定する、
ハイブリッド車両の制御装置。
【請求項３】
請求項２に記載のハイブリッド車両の制御装置であって、
前記走行モード設定部は、ＨＥＶモードで走行中に、車両に要求される駆動トルクがＥＶモードの走行領域内になったらＥＶモードに切り替える、
ハイブリッド車両の制御装置。
【請求項４】
請求項１から請求項３までのいずれか１項に記載のハイブリッド車両の制御装置であって、
前記膨張行程燃焼可否判定部は、エンジン冷却水温、気圧、外気温の少なくともいずれかひとつに基づいて前記燃焼圧力で内燃エンジンをクランキングできるか否かを判定する、
ハイブリッド車両の制御装置。
【請求項５】
ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行するハイブリッド車両を制御する方法であって、
膨張行程の気筒に燃料を供給しこの燃料に点火して発生した燃焼圧力で内燃エンジンをクランキングできるか否かを判定する膨張行程燃焼可否判定手順と、
前記膨張行程燃焼可否判定手順の判定に応じて、ＥＶモードの走行領域を設定するＥＶ領域設定手順と、
車両に要求される駆動トルクがＥＶモードの走行領域内であればＥＶモードで走行し、ＥＶモードの走行領域外にあればＨＥＶモードで走行する走行モード設定手順と、
を含むハイブリッド車両の制御方法。
【発明の詳細な説明】
【技術分野】
【０００１】
この発明は、ハイブリッド車両(Hybrid Electric Vehicle)の制御装置及び制御方法に関する。
【背景技術】
【０００２】
ＪＰ２０１２−０８６６６２Ａは、ハイブリッド車両の内燃エンジン始動装置を開示する。具体的には、停止状態にある内燃エンジンを始動するときに、エンジン停止位置や冷却水温などに基づいてエンジン始動に必要なトルクを算出し、その大小によってＥＶ駆動可能な領域を可変にする。
【発明の概要】
【０００３】
しかしながら、ＪＰ２０１２−０８６６６２Ａでは、ハイブリッド車両が、電動機によるクランキングトルクを確保したうえで、余剰のトルクでＥＶ走行するので、電動機が本来出力可能なトルクよりも小さなトルクでＥＶ走行することになる。そのため、ＥＶ走行可能領域が小さくなり、燃費向上効果が減少してしまう。
【０００４】
本発明は、このような問題点に着目してなされた。本発明の目的は、ＥＶモードの走行域を広げることができ、ＥＶ走行による燃費向上効果を大きくすることが可能なハイブリッド車両の制御装置及び制御方法を提供することである。
【０００５】
本発明のある態様によれば、ハイブリッド車両の制御装置は、ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行する車両を制御する。そして制御装置は、膨張行程の気筒に燃料を供給しこの燃料に点火して発生した燃焼圧力で内燃エンジンをクランキングできるか否かを判定する膨張行程燃焼可否判定部と、前記膨張行程燃焼可否判定部の判定に応じて、ＥＶモードの走行領域を設定するＥＶ領域設定部とを含む。さらに制御装置は、車両に要求される駆動トルクがＥＶモードの走行領域内であればＥＶモードで走行し、ＥＶモードの走行領域外にあればＨＥＶモードで走行する走行モード設定部を含む。
【図面の簡単な説明】
【０００６】
【図１】図１は、本発明の実施形態におけるハイブリッド車両の一例を示す図である。
【図２】図２は、本実施形態におけるハイブリッド車両の制御装置で実行されるＥＶ駆動トルク設定ロジックを示すブロック図である。
【図３】図３は、本実施形態のＥＶ駆動トルク設定ロジックを示すフローチャートである。
【図４】図４は、本実施形態における制御装置で実行される走行モード設定ロジックを示すフローチャートである。
【図５】図５は、車速とモーター駆動トルクとの相間を示す特性図である。
【発明を実施するための形態】
【０００７】
以下、添付図面を参照しながら本発明の実施形態について説明する。
【０００８】
図１は、本発明の実施形態におけるハイブリッド車両の一例を示す図である。
【０００９】
車両１００は、内燃エンジン１及びモータージェネレーター５によって駆動輪２を駆動するハイブリッド車両(Hybrid Electric Vehicle)である。本実施形態では、車両１００として、フロントエンジン・リヤホイールドライブのハイブリッド車両を例示する。
【００１０】
ハイブリッド車両１００のパワートレインは、内燃エンジン１と、オートマチックトランスミッション(自動変速機)３と、モータージェネレーター５と、を含む。ハイブリッド車両１００のパワートレインは、コントローラ７によって制御される。コントローラ７は、ハイブリッド車両１００を制御する制御装置である。
【００１１】
オートマチックトランスミッション３は、通常の後輪駆動車と同様に、内燃エンジン１の車両前後方向後方にタンデムに配置される。
【００１２】
モータージェネレーター５は、内燃エンジン１及びオートマチックトランスミッション３の間に配置される。モータージェネレーター５は、内燃エンジン１（クランクシャフト１ａ）からの回転をオートマチックトランスミッション３の入力軸３ａへ伝達する軸４に結合される。モータージェネレーター５は、ハイブリッド車両１００の運転状態に応じてモーターとして作用するとともにジェネレーター（発電機）としても作用する。
【００１３】
内燃エンジン１及びモータージェネレーター５の間、より詳しくは、エンジンクランクシャフト１ａと軸４との間には、第１クラッチＣＬ１が介挿される。
【００１４】
第１クラッチＣＬ１は、伝達トルク容量を連続的又は段階的に変更可能である。このようなクラッチとしては、たとえば、比例ソレノイドでクラッチ作動油流量及びクラッチ作動油圧を連続的に制御して伝達トルク容量を変更可能な湿式多板クラッチがある。たとえば、伝達トルク容量がゼロになった状態が、第１クラッチＣＬ１が完全に切り離された状態であり、内燃エンジン１及びモータージェネレーター５の間が完全に切り離された状態である。
【００１５】
第１クラッチＣＬ１が完全に切り離されると、内燃エンジン１の出力トルクは駆動輪２に伝わらず、モータージェネレーター５の出力トルクだけが駆動輪２に伝わる。この状態で走行するモードが電気走行モード（ＥＶモード）である。
【００１６】
一方、第１クラッチＣＬ１が接続されると、内燃エンジン１の出力トルクも、モータージェネレーター５の出力トルクとともに、駆動輪２に伝わる。この状態でハイブリッド車両１００が走行するモードがハイブリッド走行モード（ＨＥＶモード）である。このように第１クラッチＣＬ１の断続によって走行モードが切り替えられる。
【００１７】
モータージェネレーター５及びディファレンシャルギヤ装置６の間、より詳しくは、軸４とトランスミッション入力軸３ａとの間には、第２クラッチＣＬ２が介挿される。なお第２クラッチＣＬ２をオートマチックトランスミッション３の内部に配置してもよい。または、オートマチックトランスミッション３の内部に既存する前進シフト段選択用の摩擦要素又は後退シフト段選択用の摩擦要素を流用することにより実現してもよい。
【００１８】
第２クラッチＣＬ２は、第１クラッチＣＬ１と同様に、伝達トルク容量を連続的又は段階的に変更可能である。このようなクラッチとしては、たとえば、比例ソレノイドでクラッチ作動油流量及びクラッチ作動油圧を連続的に制御して伝達トルク容量を変更可能な湿式多板クラッチがある。たとえば、伝達トルク容量がゼロになった状態が、第２クラッチＣＬ２が完全に切り離された状態であり、モータージェネレーター５及びディファレンシャルギヤ装置６の間が完全に切り離された状態である。エンジンを始動するときには、第２クラッチＣＬ２の伝達トルク容量を小さくしてスリップ制御する。すると内燃エンジン１を始動するときのショックが駆動輪２に伝わりにくくなる。
【００１９】
オートマチックトランスミッション３は、入力軸３ａとともに回転するオイルポンプを内蔵しており、このオイルポンプのオイル圧によって複数の摩擦要素（クラッチやブレーキ等）を選択的に締結したり解放したりする。これらの摩擦要素の締結・解放の組み合わせによって伝動系路（シフト段）が決定される。
【００２０】
したがってオートマチックトランスミッション３は、入力軸３ａからの回転を選択シフト段に応じたギヤ比で変速して出力軸３ｂに出力する。この出力回転は、ディファレンシャルギヤ装置６によって左右の駆動輪２へ分配して伝達され、ハイブリッド車両１００の走行に供される。ただしオートマチックトランスミッション３は、上記したような有段式のものに限られず、無段変速機であってもよい。
【００２１】
上述した図１のハイブリッド車両１００は、コントローラ７によって、停車状態からの発進などを含む低負荷・低車速で走行するときは、主として電気走行モード（ＥＶモード）で走行する。
【００２２】
電気走行モード（ＥＶモード）では、内燃エンジン１からの動力が不要であるので、内燃エンジン１が停止される。そして、第１クラッチＣＬ１が解放される。また第２クラッチＣＬ２が締結される。さらにオートマチックトランスミッション３が動力伝達状態に切り替えられる。このような状態でモータージェネレーター５が駆動される。
【００２３】
モータージェネレーター５が駆動すると、モータージェネレーター５からの出力回転のみがトランスミッション入力軸３ａに達する。そしてオートマチックトランスミッション３は、入力軸３ａから入力した回転を選択中のシフト段に応じ変速して、トランスミッション出力軸３ｂから出力する。トランスミッション出力軸３ｂから出力された回転は、その後、ディファレンシャルギヤ装置６を経て駆動輪２に至る。
【００２４】
このようにしてハイブリッド車両１００は、モータージェネレーター５のみによって電気走行（ＥＶモード走行）する。
【００２５】
また、ハイブリッド車両１００は、コントローラ７によって、高負荷・高車速で走行するときは、主としてハイブリッド走行モード（ＨＥＶモード）で走行する。
【００２６】
ハイブリッド走行モード（ＨＥＶモード）では、内燃エンジン１が始動し、第１クラッチＣＬ１及び第２クラッチＣＬ２がともに締結され、オートマチックトランスミッション３が動力伝達状態に切り替えられる。このような状態では、内燃エンジン１からの出力回転及びモータージェネレーター５からの出力回転がトランスミッション入力軸３ａに達する。そしてオートマチックトランスミッション３は、入力軸３ａから入力した回転を選択中のシフト段に応じ変速して、トランスミッション出力軸３ｂから出力する。トランスミッション出力軸３ｂから出力された回転は、その後、ディファレンシャルギヤ装置６を経て駆動輪２に至る。
【００２７】
このようにしてハイブリッド車両１００は、内燃エンジン１及びモータージェネレーター５によってハイブリッド走行（ＨＥＶモード走行）する。
【００２８】
またＨＥＶモード走行中に、内燃エンジン１を最適燃費で運転させるとエネルギーが余剰となる場合がある。このような場合には、余剰エネルギーによってモータージェネレーター５を作動させて余剰エネルギーを電力に変換し、この電力をモータージェネレーター５のモーター駆動に用いるよう蓄電する。このようにすることで、内燃エンジン１の燃費が向上する。
【００２９】
ＥＶモードからＨＥＶモードに移行するときは、内燃エンジン１を始動する必要がある。そこで、コントローラ７は、第１クラッチＣＬ１を締結してモータージェネレーター５の回転トルクを内燃エンジン１に伝達して、モータージェネレーター５でクランキングする。
【００３０】
しかしながら、このようにしては、モータージェネレーター５によるクランキングトルクを確保したうえで、余剰のトルクで走行しなければならず、モータージェネレーター５が本来出力可能なトルクよりも小さなトルクでしか走行できない。したがって、ＥＶモードの走行域が狭められてしまい、ＥＶ走行による燃費向上効果が低下してしまう。
【００３１】
そこで本実施形態では、膨張行程の気筒に燃料を供給しこの燃料に点火して発生した燃焼圧力で内燃エンジン１をクランキングできる場合には、このクランキングを優先する。これに加えて、モータージェネレーター５の回転トルクを内燃エンジン１に伝達して、モータージェネレーター５でクランキングをアシストするようにした。このようにすれば、モータージェネレーター５によるクランキングトルクを小さくできるので、ＥＶモードの走行域を広げることができ、ＥＶ走行による燃費向上効果が大きくなる。
【００３２】
特に本実施形態では、ハイブリッド車両１００は、ＨＥＶモードでの走行中に、車両に要求される駆動トルクが低下した場合において、内燃エンジンを停止しても再始動可能な状態になったら、内燃エンジン１を停止してＥＶモードで走行する。上述のように、膨張行程気筒の燃焼圧力でクランキングして、モータージェネレーター５でクランキングをアシストするようにすれば、早めにＨＥＶモードからＥＶモードに移行でき、燃費が向上する。また、車両に要求される駆動トルクが上昇した場合には、走行性能を犠牲にすることなく内燃エンジンを再始動できるのである。具体的な内容は、以下で説明される。
【００３３】
図２は、本実施形態における走行モード制御に含まれるＥＶ駆動トルク設定ロジックの一例を示すブロック図である。
【００３４】
コントローラ７で実行される走行モード制御の制御ロジックは、制御ブロックＢ１００を含む。制御ブロックＢ１００は、モータージェネレーター５を制御するための制御ブロックＧＭに対し駆動トルクを出力する。制御ブロックＢ１００は、膨張行程燃焼実行可否判定フラグ出力ブロックＢ１０１と、切替ブロックＢ１０２と、膨張行程燃焼不可時ＥＶ駆動トルク出力ブロックＢ１０３と、膨張行程燃焼可能時ＥＶ駆動トルク出力ブロックＢ１０４と、を含む。
【００３５】
膨張行程燃焼実行可否判定フラグ出力ブロックＢ１０１は、内燃エンジン１の筒内での膨張行程において燃焼を実行できるか否か、すなわち、膨張行程の気筒に燃料を供給しこの燃料に点火して発生した燃焼圧力で内燃エンジン１をクランキングできるか否かを判定する。なお、以下では、膨張行程燃焼実行可否判定フラグ出力ブロックＢ１０１は、単に「ブロックＢ１０１」という。
【００３６】
たとえば、エンジン冷却水温が低く、暖機が完了していなければ、ブロックＢ１０１は、膨張行程燃焼を実行できないと判定する。また何らかの理由によって、エンジン冷却水温が異状上昇する場合がある。このような場合にも、ブロックＢ１０１は、膨張行程燃焼を実行できないと判定する。
【００３７】
その他に、気圧が低ければ空気密度が下がるので、燃焼圧力が十分に得られないおそれがある。そこで、気圧が基準気圧よりも低ければ、ブロックＢ１０１は、膨張行程燃焼を実行できないと判定する。また寒地などでは外気温が極めて低くなることがある。このような場合には内燃エンジン１の筒内に噴射された燃料が十分に気化できないおそれがある。このような場合にも、ブロックＢ１０１は、膨張行程燃焼を実行できないと判定する。
【００３８】
このように、ブロックＢ１０１は、エンジン冷却水温、気圧、外気温の少なくともいずれかひとつのパラメータに基づいて、膨張行程燃焼を実行できるか否かを判定する。このようにすることで、正確に判定できる。
【００３９】
なお、ブロックＢ１０１は、エンジン冷却水温、気圧、外気温の条件を適宜組み合わせて判定してもよい。このようにすれば、さらに判定精度を上げることができる。そして、ブロックＢ１０１は、判定結果のフラグを出力する。具体的には、ブロックＢ１０１は、膨張行程燃焼不可であればゼロ（０）を出力し、膨張行程燃焼可能であればイチ（１）を出力する。
【００４０】
切替ブロックＢ１０２には、出力を切り替えるためのスレッシュホールドＴ／Ｈ（threshold）が設定される。本実施形態ではスレッシュホールドＴ／Ｈは、０．５に設定されている。切替ブロックＢ１０２は、ブロックＢ１０１からの入力がゼロであれば、膨張行程燃焼不可時ＥＶ駆動トルクを出力する。一方、切替ブロックＢ１０２は、ブロックＢ１０１からの入力がイチであれば、膨張行程燃焼可能時ＥＶ駆動トルクを出力する。
【００４１】
膨張行程燃焼不可時ＥＶ駆動トルク出力ブロックＢ１０３は、膨張行程燃焼不可時のＥＶ駆動トルクを出力する。このＥＶ駆動トルクは、モータージェネレーター５の総トルクから、膨張行程燃焼不可時に内燃エンジンを始動するために要求されるトルク（クランキングトルク）を引いたものである。なお、以下では、膨張行程燃焼不可時ＥＶ駆動トルク出力ブロックＢ１０３は、単に「ブロックＢ１０３」という。
【００４２】
具体的には、ブロックＢ１０３は、膨張行程燃焼不可時の走行マップに基づいてＥＶ駆動トルクを出力する。ここで膨張行程燃焼不可時ＥＶ駆動トルクの算出方法について、図５を参照して説明する。
【００４３】
図５は、車速とモーター駆動トルクとの相間を示す特性図である。図５では、ラインＡが、膨張行程燃焼不可であってモータージェネレーター５の出力のみでクランキングするときのモーター駆動トルク（走行トルク）を示す特性ラインである。
【００４４】
膨張行程燃焼不可時には、モータージェネレーター５によるクランキングトルクを確保したうえで、余剰のトルクを利用して走行しなければならない。そのため、ラインＡとＲｏａｄＬｏａｄラインとの交点である車速Ｖ１（ｋｍ／ｈ）までは、モータージェネレーター５の出力トルクを用いてＥＶ走行できる。したがってブロックＢ１０３は、車速Ｖ１（ｋｍ／ｈ）までは、走行マップに設定されたラインＡを参照し、車速に基づいてモーター駆動トルク（走行トルク）を求める。車速は、たとえば、コントローラ７に設けられた車速センサによって検出される。
【００４５】
膨張行程燃焼可能時ＥＶ駆動トルク出力ブロックＢ１０４は、膨張行程燃焼可能時のＥＶ駆動トルクを出力する。このＥＶ駆動トルクは、モータージェネレーター５の総トルクから、膨張行程燃焼可能時に内燃エンジンを始動するために要求されるトルク（アシストトルク）を引いたものである。なお、以下では、膨張行程燃焼可能時ＥＶ駆動トルク出力ブロックＢ１０４は、単に「ブロックＢ１０４」という。
【００４６】
具体的には、ブロックＢ１０４は、膨張行程燃焼可能時の走行マップに基づいてＥＶ駆動トルクを出力する。膨張行程燃焼可能時ＥＶ駆動トルクの算出方法についても図５を参照して説明する。
【００４７】
図５では、ラインＢが膨張行程燃焼可能であって、膨張行程燃焼時に発生した燃焼圧力で内燃エンジン１をクランキングしつつ、さらにモータージェネレーター５でクランキングをアシストするときのモーター駆動トルク（走行トルク）を示す特性ラインである。
【００４８】
膨張行程燃焼可能時には、モータージェネレーター５による大きなクランキングトルクを確保する必要がないので、その分、走行に用いることができるトルクが大きくなる。そのため、ラインＢとＲｏａｄＬｏａｄラインとの交点である車速Ｖ２（ｋｍ／ｈ）までは、モータージェネレーター５の出力トルクでＥＶ走行できる。したがってブロックＢ１０４は、車速Ｖ２（ｋｍ／ｈ）までは、走行マップに設定されたラインＢを参照し、車速に基づいてモーター駆動トルク（走行トルク）を求める。
【００４９】
図３は、本実施形態のＥＶ駆動トルク設定ロジックを示すフローチャートである。なお、図３は、図２のブロック図の内容をフローチャートで示したものである。
【００５０】
ステップＳ１０１においてコントローラ７は、膨張行程燃焼を実行できるか否か、すなわち、膨張行程の気筒に燃料を供給しこの燃料に点火して発生した燃焼圧力で内燃エンジン１をクランキングできるか否かを判定する。具体的な内容は、膨張行程燃焼実行可否判定フラグ出力ブロックＢ１０１と同じである。
【００５１】
ステップＳ１０２においてコントローラ７は、膨張行程燃焼を実行できなければステップＳ１０３へ処理を移行し、膨張行程燃焼を実行できればステップＳ１０４へ処理を移行する。
【００５２】
ステップＳ１０３においてコントローラ７は、膨張行程燃焼不可時のＥＶ駆動トルクを求める。具体的な内容は、膨張行程燃焼不可時ＥＶ駆動トルク出力ブロックＢ１０３と同じである。
【００５３】
ステップＳ１０４においてコントローラ７は、膨張行程燃焼可能時のＥＶ駆動トルクを求める。具体的な内容は、膨張行程燃焼可能時ＥＶ駆動トルク出力ブロックＢ１０４と同じである。
【００５４】
図４は、本実施形態の走行モード設定ロジックを示すフローチャートである。
【００５５】
ステップＳ２０１においてコントローラ７は、ハイブリッド車両１００に要求される駆動トルクがＥＶモード領域内であるか否かを判定する。コントローラ７は、判定結果が肯であればステップＳ２０２へ処理を移行し、判定結果が否であればステップＳ２０３へ処理を移行する。
【００５６】
ステップＳ２０２においてコントローラ７は、走行モードとしてＥＶモードを設定する。
【００５７】
ステップＳ２０３においてコントローラ７は、走行モードとしてＨＥＶモードを設定する。
【００５８】
本実施形態によれば、コントローラ７は、膨張行程の気筒に燃料を供給しこの燃料に点火して発生した燃焼圧力で内燃エンジン１をクランキングできる場合には、このクランキングを優先する。そしてコントローラ７は、さらにモータージェネレーター５の回転トルクを内燃エンジン１に伝達して、モータージェネレーター５でクランキングをアシストするようにした。このようにすれば、モータージェネレーター５によるクランキングトルクを小さくでき、その分、ＥＶモードの走行域を広げることができ、ＥＶ走行による燃費向上効果が大きくなる。
【００５９】
特に本実施形態では、コントローラ７は、ＨＥＶモードでの走行中に、ハイブリッド車両１００に要求される駆動トルクが低下した場合に、内燃エンジン１を停止しても再始動可能な状態になったら、内燃エンジン１を停止してＥＶモードでハイブリッド車両１００を走行させる。このため、本実施形態のように、膨張行程気筒の燃焼圧力でクランキングして、モータージェネレーター５でクランキングをアシストするようにすれば、早めにＨＥＶモードからＥＶモードに移行でき、燃費が向上する。
【００６０】
また、ハイブリッド車両１００に要求される駆動トルクが上昇した場合には、走行性能を犠牲にすることなく内燃エンジン１を再始動できるのである。すなわち、仮に、内燃エンジンを停止しても再始動可能な状態になる前に内燃エンジン１を停止してもＥＶモードで走行できる。
【００６１】
一方、車両に要求される駆動トルクが上昇したときには、内燃エンジンを始動するために、モータージェネレーター５の走行駆動トルクを低下させて、クランキングトルクを上げる必要がある。このようにしては、ドライバーに違和感を与えてしまう。これに対して本実施形態によれば、ＨＥＶモードでの走行中に、車両に要求される駆動トルクが低下した場合に、内燃エンジン１を停止しても再始動可能な状態になったら、内燃エンジン１を停止してＥＶモードで走行するので、走行性能を犠牲にすることがなく、ドライバーに違和感を与えることを防止できるのである。
【００６２】
このように本実施形態によれば、コントローラ７は、膨張行程の気筒に燃料を供給しこの燃料に点火して発生した燃焼圧力で内燃エンジン１をクランキングできるか否かを判定し、この判定結果に応じてＥＶモードの走行領域を設定する。これにより、ＥＶモードの走行域を広げることができ、ＥＶ走行による燃費向上効果を大きくすることができる。
【００６３】
以上、本発明の実施形態について説明したが、上記実施形態は本発明の適用例の一部を示したに過ぎず、本発明の技術的範囲を上記実施形態の具体的構成に限定する趣旨ではない。
【００６４】
たとえば、図１に示されたハイブリッド車両は一例に過ぎず、他のタイプのハイブリッド車両であってもよい。
【００６５】
本願は、２０１３年６月２５日に日本国特許庁に出願された特願２０１３−１３２８６４に基づく優先権を主張し、この出願の全ての内容は参照により本明細書に組み込まれる。
【図１】
2014208209.tif 000003
【図２】
2014208209.tif 000004
【図３】
2014208209.tif 000005
【図４】
2014208209.tif 000006
【図５】
2014208209.tif 000007
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行するハイブリッド車両を制御する装置であって、
膨張行程の気筒に燃料を供給しこの燃料に点火して発生した燃焼圧力で内燃エンジンをクランキングできるか否かをＨＥＶモードで走行中に判定する膨張行程燃焼可否判定部と、
前記膨張行程燃焼可否判定部により内燃エンジンによるクランキングが可能であると判定されると、膨張行程燃焼可能時のＥＶ駆動トルクに基づくＥＶモードの走行領域を設定し、内燃エンジンによるクランキングが可能ではないと判定されると、膨張行程燃焼不可能時のＥＶ駆動トルクに基づくＥＶモードの走行領域を設定するＥＶ領域設定部と、
前記ハイブリッド車両に要求される駆動トルクがＥＶモードの走行領域内であればＥＶモードで走行し、ＥＶモードの走行領域外にあればＨＥＶモードで走行する走行モード設定部と、
を含み、
前記走行モード設定部は、ＨＥＶモードで走行中に、車両に要求される駆動トルクがＥＶモードの走行領域内になったらＥＶモードに切り替える、ハイブリッド車両の制御装置。
【請求項２】
請求項１に記載のハイブリッド車両の制御装置であって、
前記膨張行程燃焼可否判定部は、エンジン冷却水温、気圧、外気温の少なくともいずれかひとつに基づいて前記燃焼圧力で内燃エンジンをクランキングできるか否かを判定する、
ハイブリッド車両の制御装置。
【請求項３】
ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行するハイブリッド車両を制御する方法であって、
膨張行程の気筒に燃料を供給しこの燃料に点火して発生した燃焼圧力で内燃エンジンをクランキングできるか否かをＨＥＶモードで走行中に判定する膨張行程燃焼可否判定手順と、
前記膨張行程燃焼可否判定手順により内燃エンジンによるクランキングが可能であると判定されると、膨張行程燃焼可能時のＥＶ駆動トルクに基づくＥＶモードの走行領域を設定し、内燃エンジンによるクランキングが可能ではないと判定されると、膨張行程燃焼不可能時のＥＶ駆動トルクに基づくＥＶモードの走行領域を設定するＥＶ領域設定手順と、
車両に要求される駆動トルクがＥＶモードの走行領域内であればＥＶモードで走行し、ＥＶモードの走行領域外にあればＨＥＶモードで走行する走行モード設定手順と、
を含み、
前記走行モード設定部は、ＨＥＶモードで走行中に、車両に要求される駆動トルクがＥＶモードの走行領域内になったらＥＶモードに切り替える、ハイブリッド車両の制御方法。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行するハイブリッド車両を制御する装置であって、
膨張行程の気筒に燃料を供給しこの燃料に点火して発生した燃焼圧力で内燃エンジンをクランキングできるか否かをＨＥＶモードで走行中に判定する膨張行程燃焼可否判定部と、
前記膨張行程燃焼可否判定部により内燃エンジンによるクランキングが可能であると判定されると、膨張行程燃焼可能時のＥＶ駆動トルクに基づくＥＶモードの走行領域を設定し、内燃エンジンによるクランキングが可能ではないと判定されると、膨張行程燃焼不可能時のＥＶ駆動トルクに基づくＥＶモードの走行領域を設定するＥＶ領域設定部と、
前記ハイブリッド車両に要求される駆動トルクがＥＶモードの走行領域内であればＥＶモードで走行し、ＥＶモードの走行領域外にあればＨＥＶモードで走行する走行モード設定部と、
を含み、
前記走行モード設定部は、ＨＥＶモードで走行中に、車両に要求される駆動トルクがＥＶモードの走行領域内になり、且つ、膨張行程の気筒に燃料を供給しこの燃料に点火して発生した燃焼圧力で内燃エンジンをクランキングできると判定された場合に、走行モードをＥＶモードに切り替える、
ハイブリッド車両の制御装置。
【請求項２】
請求項１に記載のハイブリッド車両の制御装置であって、
前記膨張行程燃焼可否判定部は、外気温に基づいて前記燃焼圧力で内燃エンジンをクランキングできるか否かを判定する、
ハイブリッド車両の制御装置。
【請求項３】
請求項１又は２に記載のハイブリッド車両の制御装置であって、
前記ＥＶ領域設定部は、前記膨張行程燃焼不可能時のＥＶ駆動トルクが走行抵抗を下回る第１車速以下の領域を前記膨張行程燃焼不可能時のＥＶモードの走行領域として設定し、前記膨張行程燃焼可能時のＥＶ駆動トルクが走行抵抗を下回る第２車速以下の領域を前記膨張行程燃焼可能時のＥＶモードの走行領域として設定する、
ハイブリッド車両の制御装置。
【請求項４】
ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行するハイブリッド車両を制御する方法であって、
膨張行程の気筒に燃料を供給しこの燃料に点火して発生した燃焼圧力で内燃エンジンをクランキングできるか否かをＨＥＶモードで走行中に判定する膨張行程燃焼可否判定手順と、
前記膨張行程燃焼可否判定手順により内燃エンジンによるクランキングが可能であると判定されると、膨張行程燃焼可能時のＥＶ駆動トルクに基づくＥＶモードの走行領域を設定し、内燃エンジンによるクランキングが可能ではないと判定されると、膨張行程燃焼不可能時のＥＶ駆動トルクに基づくＥＶモードの走行領域を設定するＥＶ領域設定手順と、
車両に要求される駆動トルクがＥＶモードの走行領域内であればＥＶモードで走行し、ＥＶモードの走行領域外にあればＨＥＶモードで走行する走行モード設定手順と、
を含み、
前記走行モード設定部は、ＨＥＶモードで走行中に、車両に要求される駆動トルクがＥＶモードの走行領域内になり、且つ、膨張行程の気筒に燃料を供給しこの燃料に点火して発生した燃焼圧力で内燃エンジンをクランキングできると判定された場合に、走行モードをＥＶモードに切り替える、ハイブリッド車両の制御方法。
【手続補正２】
【補正対象書類名】明細書
【補正対象項目名】０００５
【補正方法】変更
【補正の内容】
【０００５】
本発明のある態様によれば、ハイブリッド車両の制御装置は、ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行する車両を制御する。そして制御装置は、膨張行程の気筒に燃料を供給しこの燃料に点火して発生した燃焼圧力で内燃エンジンをクランキングできるか否かをＨＥＶモードで走行中に判定する膨張行程燃焼可否判定部と、前記膨張行程燃焼可否判定部により内燃エンジンによるクランキングが可能であると判定されると、膨張行程燃焼可能時のＥＶ駆動トルクに基づくＥＶモードの走行領域を設定し、内燃エンジンによるクランキングが可能ではないと判定されると、膨張行程燃焼不可能時のＥＶ駆動トルクに基づくＥＶモードの走行領域を設定するＥＶ領域設定部とを含む。さらに制御装置は、車両に要求される駆動トルクがＥＶモードの走行領域内であればＥＶモードで走行し、ＥＶモードの走行領域外にあればＨＥＶモードで走行する走行モード設定部を含む。また、走行モード設定部は、ＨＥＶモードで走行中に、車両に要求される駆動トルクがＥＶモードの走行領域内になり、且つ、膨張行程の気筒に燃料を供給しこの燃料に点火して発生した燃焼圧力で内燃エンジンをクランキングできると判定された場合に、走行モードをＥＶモードに切り替える。
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行するハイブリッド車両を制御する装置であって、
膨張行程の気筒に燃料を供給しこの燃料に点火して発生した燃焼圧力で内燃エンジンをクランキングできるか否かをＨＥＶモードで走行中に判定する膨張行程燃焼可否判定部と、
前記膨張行程燃焼可否判定部により内燃エンジンによるクランキングが可能であると判定されると、膨張行程燃焼可能時のＥＶ駆動トルクに基づくＥＶモードの走行領域を設定し、内燃エンジンによるクランキングが可能ではないと判定されると、膨張行程燃焼不可能時のＥＶ駆動トルクに基づくＥＶモードの走行領域を設定するＥＶ領域設定部と、
前記ハイブリッド車両に要求される駆動トルクがＥＶモードの走行領域内であればＥＶモードで走行し、ＥＶモードの走行領域外にあればＨＥＶモードで走行する走行モード設定部と、
を含み、
前記走行モード設定部は、ＨＥＶモードで走行中に、車両に要求される駆動トルクがＥＶモードの走行領域内であって、内燃エンジンを停止しても再始動可能な状態である場合に、走行モードをＥＶモードに切り替える、
ハイブリッド車両の制御装置。
【請求項２】
請求項１に記載のハイブリッド車両の制御装置であって、
前記膨張行程燃焼可否判定部は、外気温に基づいて前記燃焼圧力で内燃エンジンをクランキングできるか否かを判定する、
ハイブリッド車両の制御装置。
【請求項３】
請求項１又は２に記載のハイブリッド車両の制御装置であって、
前記ＥＶ領域設定部は、前記膨張行程燃焼不可能時のＥＶ駆動トルクが走行抵抗を下回る第１車速以下の領域を前記膨張行程燃焼不可能時のＥＶモードの走行領域として設定し、前記膨張行程燃焼可能時のＥＶ駆動トルクが走行抵抗を下回る第２車速以下の領域を前記膨張行程燃焼可能時のＥＶモードの走行領域として設定する、
ハイブリッド車両の制御装置。
【請求項４】
ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行するハイブリッド車両を制御する方法であって、
膨張行程の気筒に燃料を供給しこの燃料に点火して発生した燃焼圧力で内燃エンジンをクランキングできるか否かをＨＥＶモードで走行中に判定する膨張行程燃焼可否判定手順と、
前記膨張行程燃焼可否判定手順により内燃エンジンによるクランキングが可能であると判定されると、膨張行程燃焼可能時のＥＶ駆動トルクに基づくＥＶモードの走行領域を設定し、内燃エンジンによるクランキングが可能ではないと判定されると、膨張行程燃焼不可能時のＥＶ駆動トルクに基づくＥＶモードの走行領域を設定するＥＶ領域設定手順と、
車両に要求される駆動トルクがＥＶモードの走行領域内であればＥＶモードで走行し、ＥＶモードの走行領域外にあればＨＥＶモードで走行する走行モード設定手順と、
を含み、
前記走行モード設定手順では、ＨＥＶモードで走行中に、車両に要求される駆動トルクがＥＶモードの走行領域内であって、内燃エンジンを停止しても再始動可能な状態である場合に、走行モードをＥＶモードに切り替える、ハイブリッド車両の制御方法。
【手続補正２】
【補正対象書類名】明細書
【補正対象項目名】０００５
【補正方法】変更
【補正の内容】
【０００５】
本発明のある態様によれば、ハイブリッド車両の制御装置は、ＥＶモードでは電動機を駆動源として走行し、ＨＥＶモードでは少なくとも前記電動機の出力を利用して内燃エンジンをクランキングして始動し前記内燃エンジン及び前記電動機を駆動源として走行する車両を制御する。そして制御装置は、膨張行程の気筒に燃料を供給しこの燃料に点火して発生した燃焼圧力で内燃エンジンをクランキングできるか否かをＨＥＶモードで走行中に判定する膨張行程燃焼可否判定部と、前記膨張行程燃焼可否判定部により内燃エンジンによるクランキングが可能であると判定されると、膨張行程燃焼可能時のＥＶ駆動トルクに基づくＥＶモードの走行領域を設定し、内燃エンジンによるクランキングが可能ではないと判定されると、膨張行程燃焼不可能時のＥＶ駆動トルクに基づくＥＶモードの走行領域を設定するＥＶ領域設定部とを含む。さらに制御装置は、車両に要求される駆動トルクがＥＶモードの走行領域内であればＥＶモードで走行し、ＥＶモードの走行領域外にあればＨＥＶモードで走行する走行モード設定部を含む。また、走行モード設定部は、ＨＥＶモードで走行中に、車両に要求される駆動トルクがＥＶモードの走行領域内であって、内燃エンジンを停止しても再始動可能な状態である場合に、走行モードをＥＶモードに切り替える。
【国際調査報告】
2014208209.tif 000008
2014208209.tif 000009